(57)【要約】【課題】  光源の発する光量を有効に利用可能で、一つの灯具において複数の発光色や発光態様を得られるような導光部材を用いた灯具に係る技術を提供する。【解決手段】  平板状に形成された導光部材１の平板面に平行な光を導光部材１の外方から内方に対して入射する複数の光源２Ａ〜２Ｄと、光源２Ａ〜２Ｄからの光が導光部材１の所定の領域に入射するように当該光を制御する光源制御部３Ａ〜３Ｄと、導光部材１内に入射した光を入射方向とは異なる方向かつ当該導光部材１の外方に光を出射する、複数の光源２Ａ〜２Ｄの一に対応する複数の発光部４と、を備え、光源２Ａ〜２Ｄが発光部の一に対して光を照射し、発光部４が一の光源から出射される光を平板面とほぼ垂直方向に反射する反射面４１を有する。【選択図】図１
2006259263.tif 000002
【特許請求の範囲】
【請求項１】
平板状に形成された導光部材の平板面に平行な光を当該導光部材の外方から内方に対して入射する複数の光源と、
前記光源からの光が前記導光部材の所定の領域に入射するように当該光を制御する光源制御部と、
前記導光部材内に入射した光を入射方向とは異なる方向かつ当該導光部材の外方に前記光を出射する、前記複数の光源の一に対応する複数の発光部と、を備え、
前記光源が、
前記発光部の一に対して光を照射し、
前記発光部が、
前記一の光源から出射される光を前記平板面とほぼ垂直方向に反射する反射面を有している、灯具。
【請求項２】
前記光源が、発光ダイオードである、請求項１に記載の灯具。
【請求項３】
前記光源が、互いに異なる発光色を有する、請求項１に記載の灯具。
【請求項４】
前記光源が、
複数の発光体を有し、この複数の発光体が各々異なる発光色を有する、請求項１に記載の灯具。
【請求項５】
前記光源制御部が、集光レンズ及び反射面の少なくともいずれかである、請求項１に記載の灯具。
【発明の詳細な説明】
【技術分野】
【０００１】
本発明は、導光部材を用いて発光態様を得る灯具に関する。
【背景技術】
【０００２】
従来から、導光部材を用いた灯具としては、透明な樹脂やガラスの内部に光学的な障害物を作成する技術が知られている（例えば、特許文献１参照）。この特許文献１の技術は、障害物に光源からの光が反射することで光が拡散して、障害物が光源の発光色に光る。
【０００３】
また、他の導光部材を用いた灯具としては、透明な導光板の表面に掘り込みと称されるもの削孔して、この掘り込みに光源からの光を反射させる技術が知られている（例えば、特許文献２参照）。この特許文献２の技術では、掘り込みに光を反射させることで掘り込みの反対側の表面に光が出射するため、この掘り込みが光源によって発光する。
【特許文献１】特開２００４−２４６２６０号公報
【特許文献２】特開昭５２−１０６９７号公報
【発明の開示】
【発明が解決しようとする課題】
【０００４】
しかしながら、上述の特許文献に係る技術を含め、従来の技術では例えば以下のような問題があった。
すなわち、従来の導光部材を用いた灯具は、光源の光が導光板全体に入射するため、本来発光させたい障害物や掘り込みには光源からの光の一部のみが入射していた。従って、従来の技術では、光源の発する光量を有効に利用できているとは言い難かった。
【０００５】
また、従来の導光部材を用いた灯具は、灯具に備えられた一つの発光色を有する光源に応じた発光態様を得るように加工されていた。すなわち、従来の技術は、一つの灯具について一つの発光態様を得ることしかできず、一つの灯具において複数の発光色や発光態様を得られるような考慮はなされていなかった。
【０００６】
本発明は、以上の問題に鑑みてなされたものである。すなわち、本発明の課題は、光源の発する光量を有効に利用可能な導光部材を用いた灯具に係る技術を提供することを目的とする。また、本発明の他の課題は、一つの灯具において複数の発光色や発光態様を得られるような導光部材を用いた灯具に係る技術を提供することを目的とする。
【課題を解決するための手段】
【０００７】
上記課題を解決するために、本発明は以下の手段とした。
すなわち、本発明は、平板状に形成された導光部材の平板面に平行な光を当該導光部材の外方から内方に対して入射する複数の光源と、光源からの光が導光部材の所定の領域に入射するように当該光を制御する光源制御部と、導光部材内に入射した光を入射方向とは異なる方向かつ当該導光部材の外方に光を出射する、複数の光源の一に対応する複数の発光部と、を備え、光源が発光部の一に対して光を照射し、発光部が一の光源から出射される光を平板面とほぼ垂直方向に反射する反射面を有している。
【０００８】
本発明は、光源の光を導光部材内の所定の領域に入射するために、光源近傍に光源反射部を備える。この光源反射部により、本発明は、導光部材全体に拡散することなく、光源からの光を所定の発光部に確実に入射することができる。
【０００９】
また、本発明は、複数の光源からの光を反射して発光する発光部が、導光部材に複数設けられている。この発光部は、複数の光源に対応してその光源の一からの光を反射し発光するために、一つの光源からの光の入射角に対して所定の形状をなすように形成されている反射面を有している。この発光部により、本発明は、光源から導光部材に入射した光を導光部材内に拡散することなく出射する。また、本発明の発光部は、例えば発光色の異なる複数の光源を有する場合であっても、対応する光源からの光のみを反射面が反射する。そして、発光部は、対応する光源とは異なる他の光源からの光については、反射面の角度が当該他の光源には対応していないため、その光を発光することはない。
【００１０】
従って、本発明によれば、光源の発する光量を有効に利用可能な導光部材を用いた灯具に係る技術を提供することができる。また、本発明によれば、一つの灯具において複数の発光色や発光態様を得られるような導光部材を用いた灯具に係る技術を提供することができる。
【００１１】
また、本発明は、光源が発光ダイオードであってもよい。
【００１２】
また、本発明は、光源が互いに異なる発光色を有してもよい。
【００１３】
また、本発明は、光源が、複数の発光体を有し、この複数の発光体が各々異なる発光色を有してもよい。
本発明は、光源に対応した複数の発光部からなる発光領域に対して、光源内の複数の発光体から異なる発光色を入射する。
従って、本発明によれば、複数の光源に対応した発光部によって様々な表示態様を得ることができる。
【００１４】
さらに、本発明は、光源制御部が、集光レンズ及び反射面の少なくともいずれかであってもよい。
【発明の効果】
【００１５】
本発明によれば、光源の発する光量を有効に利用可能な導光部材を用いた灯具に係る技術を提供することができる。また、本発明によれば、一つの灯具において複数の発光色や発光態様を得られるような導光部材を用いた灯具に係る技術を提供することができる。
【発明を実施するための最良の形態】
【００１６】
以下、図面を参照して本発明を実施するための最良の形態について説明する。以下の実施の形態の構成は例示であり、本発明は実施の形態の構成に限定されない。
【００１７】
図１は、本発明の灯具の一実施の形態である光源を発光ダイオード（LED）とした灯具１０の一例を示す図である。図１のように灯具１０は、平板状に形成されている導光部材１の側面１１Ａ〜１１Ｄの所定の位置に設けられた光源取り付け部１２Ａ〜１２Ｄに光源２Ａ〜２Ｄを備える。この光源２Ａ〜２Ｄは、異なる発光色を出射する複数のＬＥＤチップが内蔵されている。そのため、光源２Ａ〜２Ｄは、発光するＬＥＤチップを切り替えることによって、一つの光源から複数の発光色を得ることができる。
【００１８】
また、灯具１０は、導光部材１内方の光源２Ａ〜２Ｄから発した光が到達する発光領域Ａ〜Ｄに、光源２Ａ〜２Ｄの一に対応する発光部４を発光領域ごとに所定個数（例えば図１では発光領域ごとに９個）設ける。
【００１９】
次に、上述の灯具１０の各構成要素について、具体的に説明する。光源２Ａ〜２Ｄは、図１に示すように導光部材１の側面１１Ａ〜１１Ｄから導光部材１の平面部１２に平行に入射する光を照射することができるような状態で、導光部材１に取り付けられる。このとき、光源２Ａ〜２Ｄの取り付けは、既存の様々な方法（例えば接着材を用いた接着など）で行えば良い。また、光源２Ａ〜２Ｄの近傍には、光源２Ａ〜２Ｄからの光が各光源のそれぞれに対応した領域Ａ〜Ｄの発光部４に入射するようにするために、発光制御部３Ａ〜３Ｄが設けられる。この発光制御部３Ａ〜３Ｄは、光源２Ａ〜２Ｄが発した光を個々の光源２Ａ〜２Ｄに対応した発光部４に入射させるために、その光を発光領域Ａ〜Ｄ内に入光するように制御する。なお、この発光制御部３Ａ〜３Ｄには、所定の領域に光を導くことができる、例えば集光レンズや反射面などの手段を用いることが考えられる。
【００２０】
発光部４は、上述のように複数の光源２Ａ〜２Ｄのうち一に対応して、その光源２Ａ〜２Ｄの導光部材１内の光の入射する領域（図１における光源２Ａ〜２Ｄから発光部４へ延びる鎖線に囲まれた領域）にある発光部４の配列領域Ａ〜Ｄ内に複数設けられている。この発光部４は、例えば光源２Ａからの光が入射する領域Ａ内にあるものだけが、光源２Ａからの光によって発光する。そして、この発光部４は、発光領域Ａ以外の光源２Ｂ〜２Ｄからの光によっては発光しないように形成されている。
【００２１】
図２及び図３は、発光部４の形状及び発光部４と光源２からの入射光との関係を簡易的に図示した平面図及び断面図の一例である。図２及び図３において、発光部４は、導光部材１の側面外方から一つの光源（不図示）による導光部材１への入射光Ｉを反射して、図２における紙面から手前に向かう方向に出射光Ｏを出射する。
【００２２】
図３において、導光部材１の出射光の出射方向を表面とし、その反対方向を裏面とする。発光部４は、特定の光源からの入射光Ｉのみを出射光Ｏとして導光部材１の裏面から表面に出射するために、所定の形状（入射光Ｉと出射光との関係で定められる面の方向、傾斜など）をなす反射面４１を有する。この反射面４１を導光部材１に形成するために、発光部４は、裏面側の平面から表面側へ掘られた孔部４２とからなる。本実施の形態に係る灯具１０は、このような反射面４１を有する発光部４を複数の光源２Ａ〜２Ｄのうち一の光のみを反射するように、光源２Ａ〜２Ｄと発光部４との位置を考慮して形成する。
【００２３】
次に、上述のような光源２Ａ〜２Ｄと発光部４とを有する導光部材１を用いた灯具１０の発光態様の一例について説明する。
図１に示した灯具１０において、光源２Ａ〜２Ｄにはそれぞれ赤、白、青、緑の発光色を有する発光体が内蔵されているとする。そして、光源２Ａが赤、光源２Ｂが白、光源２Ｃが青、光源２Ｄが緑を発光すると仮定すると、それぞれ発光領域Ａの発光部４が赤、発光領域Ｂの発光部４が白、発光領域Ｃの発光部４が青、発光領域Ｄの発光部４が緑に発光する。また、光源２Ａ〜２Ｄの発光色が変われば、それに応じてそれぞれの発光領域Ａ〜Ｄの発光部４からの発光色も変わる。このように、灯具１０は、複数の光源が各々複数の発光色を得られるようにすれば、それに応じた表示態様も、それぞれの発光部４の発光色に影響されることなく変化させることができる。
【００２４】
上述のように反射面４１の形状を形成しかつ光源２Ａ〜２Ｄと発光部４との位置を決定することによって、灯具１０は、光源の発する光量を有効に利用可能することができる。また、灯具１０によれば、一つの灯具において複数の発光色や発光態様を得ることができる。
【００２５】
<変形例>
本発明の灯具は、上述の実施の形態に係る灯具１０の光源と発光部との配置による発光態様に限定されず、様々な発光部の配置による発光態様を得ることができるのはいうまでもない。すなわち、本発明の灯具は、平板状の導光部材の側面から平面に平行な光を入射し、導光部材中に設けられ光源からの光を平面に向かって照射可能な反射面を有するものであればよい。
【００２６】
本発明の灯具における発光部の配置の変形例を図４から図６に示す。図４は、発光部の配置をいわゆるバツ（×）の形に配置した一例である。また、図５は、光源に対応した発光部を導光部材中で分散して配置した一例である。さらに、図６は、上述の実施の形態とは異なり、発光部の形状を平面上から見て点状（長さを有しない丸形状）ではなく線状に形成した発光部の一例である。これら変形例においても、発光部は一の光源からの入射光のみを反射して発光するという点は、上述の実施の形態と何ら変わるところはない。
【００２７】
また、本実施の形態の灯具１０において、光源２Ａ〜２Ｄの近傍に備える入射光を制御する光源制御部を反射面によって形成したが、本発明の灯具ではこれを集光レンズによって形成しても良い。この場合、集光レンズによる光源制御部は、発光部分からの光の照射方向と拡散とを対応する発光部に入射するように形成する。
【図面の簡単な説明】
【００２８】
【図１】本発明の灯具の一実施の形態である光源を発光ダイオード（LED）とした一例を示す図である。
【図２】発光部の形状及び発光部と光源からの入射光との関係を簡易的に図示した平面図の一例である。
【図３】発光部の形状及び発光部と光源からの入射光との関係を簡易的に図示した平面図及び断面図の一例である。
【図４】本発明の灯具における発光部の配置の変形例であり、発光部の配置をいわゆるバツの形に配置した一例である。
【図５】本発明の灯具における発光部の配置の変形例であり、光源に対応した発光部を導光部材中で分散して配置した一例である。
【図６】本発明の灯具における発光部の配置の変形例であり、発光部の形状を平面上から見て線状に形成した発光部の一例である。
【符号の説明】
【００２９】
１    導光部材
２    光源
３    反射部
４    発光部
１０    灯具
１１    側面
１２    平面部
４１    反射面
４２    孔部
【図１】
2006259263.tif 000003
【図２】
2006259263.tif 000004
【図３】
2006259263.tif 000005
【図４】
2006259263.tif 000006
【図５】
2006259263.tif 000007
【図６】
2006259263.tif 000008